(57)【要約】      （修正有）【課題】平常時には壁面に面する位置など空間の有効活用が図れる位置に免震対象物を配置し、地震発生時には、４方向で障害物のない位置へ移動して免震動作を発揮する免震装置である。【解決手段】固定ベース３と、免震対象物が載置される移動テーブル５と、その間に設置される免震機構部６とを有する免震装置において、第１に、移動テーブル５に原点設定バネポスト７を設け、固定ベース３に固定バネポスト７を複数箇所設ける。第２に、複数箇所の固定バネポスト１７、１８と原点設定バネポスト７とをスプリング１５、１６で接続する。第３に、スプリング１５，１６の付勢力の強さと、各バネポスト１７，１８の位置の設定で、移動テーブル５が安定停止する位置である原点位置を固定ベース３の位置と偏心する位置に設定する。第４に、移動テーブル５と固定テーブルとをズレのない位置で地震感知時にのみ解除されるストッパー１９で固定する。【選択図】図５
2013064431.tif 000002
【特許請求の範囲】
【請求項１】
下面側に床面等への設置部が形成された固定ベースと、該固定ベース上方に移動可能に配置され、上面側に免震対象物が載置される天板部が形成された移動テーブルと、両者の間に設置される免震機構部とを有する免震装置において、
前記移動テーブルに原点設定バネポストを設け、固定ベースに固定バネポストを複数箇所設け、
該複数箇所の固定バネポストと原点設定バネポストとをスプリングで接続し、
該スプリングの付勢力の強さと、原点設定バネポスト及び固定バネポストの位置の設定により、
前記移動テーブルが安定停止する位置である原点位置を前記固定ベースの位置と偏心する位置に設定し、
前記移動テーブルと前記固定テーブルとをズレのない位置で地震感知時にのみ解除されるストッパーで該移動テーブルと前記固定ベースとを固定したことを特徴とする免震位置任意設定可能な免震装置。
【請求項２】
上記固定バネポストが二カ所設けられ、
該二カ所の固定バネポストと原点設定バネポストとを第１及び第２のスプリングで接続したものである請求項１記載の免震位置任意設定可能な免震装置。
【請求項３】
上記移動テーブルの移動範囲が、水平面での縦方向とそれと直交する横方向の範囲である請求項１または２記載の免震位置任意設定可能な免震装置。
【発明の詳細な説明】
【技術分野】
【０００１】
本発明は、免震位置を任意に設定可能な免震装置に関するもので、主として屋内に設置される器具備品である試験機器、ショーケース、薬品棚などの下に用いて、これらの器具備品等を地震の揺れから守り、転倒や破損を防止する免震装置を主眼に開発されたものである。
【背景技術】
【０００２】
従来、地震対策というと建造物の耐震がその中心であったが、建造物が倒れないだけでは十分ではなく、地震の揺れを建造物に与えず受け流すという免震技術が注目されだした。近年では高層住宅を始め戸建て住宅でも免震化住宅が普及してきた。
【０００３】
免震技術の活用は、住宅のような建造物が中心であったが、試験場や大学その他の研究機関などからは、試験機器、ショーケース、薬品棚などの器具備品においても、地震の揺れから守る必要があるとの認識により、その活用が望まれるようになった。
【０００４】
建造物に比べると小型軽量機器用免震装置、特にスプリングを用いた免震装置は、特許文献１及び特許文献２に示されるように何種類か提案されているが、数が少なく、社会的要望に応えられるものではなかった。さらに、特許文献１及び２等で提供される免震装置は、支承・復元・減衰という免震機能そのものをテーマにするものであった。
【０００５】
しかし、薬品棚などの器具備品は、壁面や他の器具備品に接して配置されることが多い。例えば薬品棚の背面と側面が壁に接している場合がある。このような状態であると、前後左右４方向に動作する免震装置を利用したとしても、背面方向と側面方向への免震は機能できないものであった。しかし、この種の器具備品を、壁などの障害物のない位置に配置することは、施設や住居内の空間の有効利用から無理であった。
【先行技術文献】
【特許文献】
【０００６】
【特許文献１】特開２０００−３２９１９１号公開特許公報
【特許文献２】特開２００８−１３８７５１号公開特許公報
【発明の概要】
【発明が解決しようとする課題】
【０００７】
本発明は、免震動作の中心位置（原点位置）を前後左右４方向で障害物のない位置に設定し、その後、所望位置、例えば壁面に面する位置に移動テーブルを移動させ、該移動テーブル上に、免震対象物を配置し、平常時は壁面に面する位置など空間の有効活用を図れる位置に免震対象物を配置して利用し、地震発生時には、４方向で障害物のない位置へ移動して免震動作を発揮できる免震位置を任意に設定可能な免震装置を提供することを目的とする。
【課題を解決するための手段】
【０００８】
上記課題を解決するため、第１の発明は、下面側に床面等への設置部が形成された固定ベースと、該固定ベース上方に移動可能に配置され、上面側に免震対象物が載置される天板部が形成された移動テーブルと、両者の間に設置される免震機構部とを有する免震装置に次の手段を採用する。
【０００９】
第１に、前記移動テーブルに原点設定バネポストを設け、固定ベースに固定バネポストを複数箇所設ける。
第２に、該複数箇所の固定バネポストと原点設定バネポストとをスプリングで接続する。
第３に、該スプリングの付勢力の強さと、原点設定バネポスト及び固定バネポストの位置の設定により、前記移動テーブルが安定停止する位置である原点位置を前記固定ベースの位置と偏心する位置に設定する。
第４に、前記移動テーブルと前記固定テーブルとをズレのない位置で地震感知時にのみ解除されるストッパーで該移動テーブルと前記固定ベースとを固定したことを特徴とする免震位置任意設定可能な免震装置とする。
【００１０】
第２の発明は、第１の発明に、上記固定バネポストが二カ所設けられ、該二カ所の固定バネポストと原点設定バネポストとを第１及び第２のスプリングで接続したものであることを付加した免震位置任意設定可能な免震装置とする。
【００１１】
第３の発明は、第１または第２の発明に、上記移動テーブルの移動範囲が、水平面での縦方向とそれと直交する横方向の範囲であることを付加した免震位置任意設定可能な免震装置とする。
【発明の効果】
【００１２】
本発明は、スプリングの付勢力の強さ（スプリングの長さ及びバネ乗数などで決定される）と、原点設定バネポスト及び固定バネポストの位置の設定により、前記移動テーブルが安定停止する位置である原点位置を前記固定ベースの位置と偏心する位置に設定してあるため、地震感知時にストッパーが解除されれば、該移動テーブルは、前記固定ベースと偏心した原点位置に移動し免震動作を行う。
【００１３】
従って、平常時は壁面に面する位置などに免震対象物を置くことができ、空間の有効活用を図れるとともに、地震発生時には、４方向で障害物のない位置へ移動して免震作用を発揮できる免震位置任意設定可能な免震装置となった。
【図面の簡単な説明】
【００１４】
【図１】免震位置任意設定可能な免震装置の正面説明図
【図２】移動テーブルの裏面図
【図３】固定ベースの上面図
【図４】免震動作前の状態を示す側面説明図
【図５】免震動作時の状態を示す側面説明図
【図６】免震動作前の移動テーブルに薬品棚が載置された状態を示す説明図で、（Ａ）は正面図で、（Ｂ）は平面図である。
【図７】免震動作中の移動テーブルに薬品棚が載置された状態を示す説明図で、（Ａ）は正面図で、（Ｂ）は平面図である。
【図８】免震原点位置の移動に伴う免震動作範囲の変化説明図。
【発明を実施するための形態】
【００１５】
以下、図面に従って、実施例と共に本発明の実施の形態について説明する。
免震位置任意設定可能な免震装置１は、図１に示されるように、下面側に床面等への設置部２が形成された固定ベース３と、該固定ベース３上方に移動可能に配置され、上面側に免震対象物が載置される天板部４が形成された移動テーブル５と、両者の間に設置される免震機構部６とを有する。
【００１６】
移動テーブル５は、上面が免震対象物、例えば図６及び図７では薬品棚２０が載置される天板部４が形成されており、裏面側には図２に示されるようにスライダー１４、原点設定バネポスト７及び固定穴金具２１が取り付けられている。
【００１７】
原点設定バネポスト７は、後述する第１及び第２の固定バネポスト１７、１８と対応する高さに設定される。スライダー１４は、後述する中間接続枠１１に固定されるＹ軸用スライドレール１３に装着される部材であり、固定穴金具２１は、移動テーブル５を固定ベース３に固定するためのストッパー１９を構成する部材である。
【００１８】
固定ベース３は、図３に示されるように、中央部に原点設定バネポスト７の移動を可能とする切欠窓８が形成された枠体である。固定ベース３は、設置部２により固定ベース３の裏面側に一定の高さを有する空部２６が形成されている。
【００１９】
固定ベース３の枠体部分の上面には、Ｘ軸方向（図１及び図３中左右方向、図４及び図５中前後方向）へ移動テーブル５を移動させるためのＸ軸用スライドレール９を取付ねじ１０で固定してある。尚、固定ベース３の上面で移動テーブル５に取り付けられた固定穴金具２１の位置に対応する所に、ストッパー１９を取り付けている。
【００２０】
固定ベース３の裏面側には第１の固定バネポスト１７と第２の固定バネポスト１８が固定ベース３の裏面側の空部２６に納まる大きさで取り付けられている。尚、図４及び図５に示されるように第１の固定バネポスト１７と原点設定バネポスト７とが第１のスプリング１５で接続されており、第２の固定バネポスト１８と原点設定バネポスト７が第２のスプリング１６で接続されている。本実施例で固定バネポストは２個であるが、複数個であればよく、２個に限定されるものではない。
【００２１】
移動テーブル５と固定ベース３の間には、免震機構部６を形成するための中間接続枠１１が配置されている。中間接続枠１１も固定ベース３の切欠窓８と同様に中央部に原点設定バネポスト７の移動を可能とする切欠窓が形成された枠体である。
【００２２】
中間接続枠１１の上面にはＹ軸用スライドレール１３が固定されている。Ｙ軸とは図４及び図５における左右方向のことでＸ軸と直交する方向である。該Ｙ軸用スライドレール１３に、移動テーブル５のスライダー１４が摺動自在に装着されている。
【００２３】
中間接続枠１１の裏面には、取付ねじ１０でスライダー１２が取り付けられており、該スライダー１２は、固定ベース３の上面に固定されているＸ軸用スライドレール９に摺動自在に装着されている。
【００２４】
このようにして固定ベース３に対し移動テーブル５はＸ軸及びＹ軸方向に範囲内で自在に動作することができる構造となる。
【００２５】
実施例では、同一形状、同一バネ定数の第１のスプリング１５と第２のスプリング１６、即ち同一の強さのスプリングを用意し、第１のスプリング１５を固定ベース３に取り付けた第１の固定バネポスト１７と原点設定バネポスト７と接続し、第２のスプリング１６を固定ベース３に取り付けた第２の固定バネポスト１８と原点設定バネポスト７と接続する。勿論、本発明においては第１のスプリング１５及び第２のスプリング１６の強さは同一である必要はない。
【００２６】
同一の強さのスプリングを用いると第１のスプリング１５と第２のスプリング１６の付勢力は等しいため、原点設定バネポスト７は、原点位置（図５で原点設定バネポスト７の位置する所）で静止状態となる。原点位置は、この実施例では、第１の固定バネポスト１７から第２の固定バネポスト１８の中間位置に存在することになる。
【００２７】
図４及び図５における実施例では、原点設定バネポスト７は、移動テーブル５の中心より左寄りに設けられているため、原点位置では移動テーブル５は固定ベース３に対して右寄りに偏心した位置で安定停止している。即ち、移動テーブル５の原点位置を固定ベース３の位置と偏心する位置に設定してある。
【００２８】
移動テーブル５の原点位置と固定ベース３の中心位置を偏心する位置に設定するには、スプリングの付勢力の強さと、原点設定バネポスト７及び固定バネポストの位置の設定により行うのである。実施例では、原点設定バネポスト７の位置を移動テーブル５の中心よりずらすことで行っている。固定バネポストの位置設定の変更やスプリングの強さ設定の変更で行ってもよい。
【００２９】
固定ベース３と移動テーブル５とは、ズレのない位置、即ち、両者の中心位置を合わせた位置で、地震感知時にのみ解除されるストッパー１９で、図４に示されるように固定される。固定された状態で、移動テーブル５は、図４中符号ＬＬで示される距離分の付勢力を受けて固定されている。
【００３０】
ストッパー１９は、移動テーブル５に固定穴金具２１の穴に嵌め込まれる固定ピン２２と、固定ピン２２を押し込むための固定バネ２３と引きソレノイドなどの解除装置２４とで構成される。地震発生時には地震検知器２５の信号で、解除装置２４が作動し、固定ピン２２を引き下げ、移動テーブル５の動作を自由にする。
【００３１】
ストッパー１９が解除されると第１のスプリング１５と第２のスプリング１６の力により、安定位置である原点位置まで距離ＬＬだけ原点設定バネポスト７が移動する。この原点位置で第１のスプリング１５と第２のスプリング１６により免震動作が確保されるのである。
【００３２】
以上の実施例は、図３及び図４の固定位置から、図５の解除時に、上方向距離ＬＬ移動して免震動作を行うことになる。勿論、薬品棚２０を載置した移動テーブル５を、図６から図７に示されるように、右前方に移動させて免震動作を確保することで、左側と奥側に壁などの免震動作の障害物があった場合にも、移動テーブル５を障害のない位置に移動させて、免震動作を行いうる。
【００３３】
また図８に示されるように、免震対象物の後に障害物があり、後方に免震動作をとることができない免震動作範囲３１の場合や、後と左側、後と右側に障害物があってそれらの方向に免震動作をとることができない免震動作範囲３２、３３の場合にも、移動テーブル５の移動により、免震対象物の４方向への免震動作範囲３４を確保することができる。
【符号の説明】
【００３４】
１・・・・・・・・免震装置
２・・・・・・・・設置部
３・・・・・・・・固定ベース
４・・・・・・・・天板部
５・・・・・・・・移動テーブル
６・・・・・・・・免震機構部
７・・・・・・・・原点設定バネポスト
８・・・・・・・・切欠窓
９・・・・・・・・Ｘ軸用スライドレール
１０・・・・・・・取付ねじ
１１・・・・・・・中間接続枠
１２、１４・・・・スライダー
１３・・・・・・・Ｙ軸用スライドレール
１５・・・・・・・第１のスプリング
１６・・・・・・・第２のスプリング
１７・・・・・・・第１の固定バネポスト
１８・・・・・・・第２の固定バネポスト
１９・・・・・・・ストッパー
２０・・・・・・・薬品棚
２１・・・・・・・固定穴金具
２２・・・・・・・固定ピン
２３・・・・・・・固定バネ
２４・・・・・・・解除装置
２５・・・・・・・地震検知器
２６・・・・・・・空部
３１、３２、３３、３４・・・・・・・免震動作範囲
【図１】
2013064431.tif 000003
【図２】
2013064431.tif 000004
【図３】
2013064431.tif 000005
【図４】
2013064431.tif 000006
【図５】
2013064431.tif 000007
【図６】
2013064431.tif 000008
【図７】
2013064431.tif 000009
【図８】
2013064431.tif 000010